(57)【要約】【課題】複数の照明器具を備えた照明システムにおいて、各照明器具の制御アドレスを容易に設定できるとともに、照明器具の管理を行いやすくする。【解決手段】照明器具２Ａ〜２Ｌは、それぞれ、ネットワーク４を介して、自己の識別情報を含む識別信号をコントローラ１に送信する。コントローラ１の制御アドレス設定部１３１は、各照明器具２の識別情報に含まれる分類データをキーとして、照明器具２Ａ〜２Ｌが分類ごとに並ぶようにソートして、アドレス順をソートした結果の順になるように、照明器具２Ａ〜２Ｌの制御アドレスを設定する。【選択図】図１
2020198237.tif 000002
【特許請求の範囲】
【請求項１】
複数の照明器具と、
前記複数の照明器具とネットワークを介して接続されており、前記ネットワークを介して前記複数の照明器具に照明制御信号を送信するコントローラと
を備える照明システムであって、
前記複数の照明器具は、それぞれ、前記ネットワークを介して、自己の分類を示す分類データを含む識別情報を送信する通信部を備え、
前記コントローラは、
前記ネットワークを介して、前記複数の照明器具から送信される前記識別情報をそれぞれ受信する通信部と、
各識別情報に含まれる分類データをキーとして、前記照明器具の識別情報が分類ごとに並ぶようにソートして、アドレス順がソート結果の順になるように、各照明器具の制御アドレスを設定する制御アドレス設定部とを備える
をことを特徴とする照明システム。
【請求項２】
請求項１記載の照明システムにおいて、
前記照明器具の通信部は、自己を識別するために用いられるＩＤデータをさらに含む識別情報を送信し、
前記コントローラの制御アドレス設定部は、前記各識別情報に含まれる分類データをキーとして、前記各照明器具の識別情報が分類ごとに並ぶようにソートした後に、前記識別情報に含まれるＩＤデータをキーとして、同じ分類データの照明器具が所定のＩＤデータ順に並ぶようにソートして、アドレス順がソート結果の順になるように、各照明器具の制御アドレスを設定する
ことを特徴とする照明システム。
【請求項３】
請求項１または２記載の照明システムにおいて、
前記コントローラの通信部は、前記制御アドレスによって設定された制御アドレスを示す専用信号を送信することを特徴とする照明システム。
【請求項４】
請求項１〜３のいずれか１項記載の照明システムにおいて、
前記照明器具は、制御アドレスの設定を行うか否かを設定可能に構成されていることを特徴とする照明システム。
【請求項５】
複数の照明器具を備える照明システムにおいて、前記複数の照明器具とネットワークを介して接続されており、前記ネットワークを介して前記複数の照明器具に照明制御信号を送信する照明システムのコントローラであって、
前記ネットワークを介して、前記複数の照明器具からそれぞれ送信される当該照明器具の分類を示す分類データを含む識別情報を受信する通信部と、
各識別情報に含まれる分類データをキーとして、前記照明器具の識別情報が分類ごとに並ぶようにソートして、アドレス順がソート結果の順になるように、各照明器具の制御アドレスを設定する制御アドレス設定部とを備える
をことを特徴とする照明システムのコントローラ。
【請求項６】
コントローラから出力される照明制御信号が伝送されるネットワークに接続される照明器具であって、
前記ネットワークを介して、他の照明器具からそれぞれ送信される当該他の照明器具の分類を示す分類データを含む識別情報を受信する通信部と、
各識別情報に含まれる分類データをキーとして、前記照明器具の識別情報が分類ごとに並ぶようにソートして、アドレス順がソート結果の順になるように、各照明器具の制御アドレスを設定する制御アドレス設定部とを備える
をことを特徴とする照明システムのコントローラ。
【請求項７】
複数の照明器具と、
前記複数の照明器具とネットワークを介して接続されており、前記ネットワークを介して前記複数の照明器具に照明制御信号を送信するコントローラと
を備える照明システムの制御アドレス設定方法であって、
前記複数の照明器具は、
それぞれ、前記ネットワークを介して、自己の分類を示す分類データを含む識別情報を送信し、
前記コントローラは、
前記ネットワークを介して、前記複数の照明器具から送信される前記識別情報をそれぞれ受信し、
各識別情報に含まれる分類データをキーとして、前記照明器具の識別情報が分類ごとに並ぶようにソートして、アドレス順がソート結果の順になるように、各照明器具の制御アドレスを設定する
をことを特徴とする照明システムの制御アドレス設定方法。
【発明の詳細な説明】
【技術分野】
【０００１】
本発明は、複数の照明器具を含む照明システムにおいて、コントローラと照明器具との間で通信を行う際に用いられる制御アドレスを設定する技術に関するものである。
【背景技術】
【０００２】
従来より、コントローラから複数の照明器具に照明制御信号を送信して、各照明器具の光源を制御する照明システムが知られている。特許文献１には、制御装置（コントローラ）から各照明器具に照明制御信号を送信する際に用いられる制御アドレスが、照明機器の接続位置に従って設定される技術が開示されている。
【先行技術文献】
【特許文献】
【０００３】
【特許文献１】特開２０１６−１８１３３５号公報
【発明の概要】
【発明が解決しようとする課題】
【０００４】
ところで、照明器具は、制御アドレスが所定のアドレス値（例えば、「１」）に設定された状態で出荷される。また、照明器具が他の照明システムに使用されたときに、既に照明器具に制御アドレスが設定されていることがある。このため、ユーザは、新たに照明システムに照明器具を設置する場合、コントローラからの照明制御信号によって照明器具を制御するために、照明器具に制御アドレスを設定または再設定する必要がある。
【０００５】
ここで、照明器具の操作部を操作して、照明器具ごとに制御アドレスを設定する場合、ユーザの手間が掛かる。特に、照明システムに設置する照明器具の台数が増えるにつれて、制御アドレスの設定ミスが生じやすくなる。また、ＲＤＭ（Remote Device Management）を用いれば、例えば、コンピュータから各照明器具の制御アドレスを設定できるため、各照明器具の操作部を操作する必要がなくなるが、コンピュータとＲＤＭ変換器とを準備する必要があり、照明システムが複雑になる。
【０００６】
また、同じ分類（例えば、機種等が同じ）の照明器具は、同時に同一の制御が行われることが多い。この場合、ユーザは、同じ分類の照明器具に設定された各制御アドレスに対して、同一の制御値（照明器具の光源を制御するために用いられる制御値）を入力する。しかしながら、同じ分類の照明器具に対して制御アドレスがバラバラに設定されていると、照明器具を制御する制御値の入力ミスが生じやすくなる。
【０００７】
そこで、本発明は、複数の照明器具を備えた照明システムにおいて、各照明器具の制御アドレスを容易に設定することができる照明システムを提供することを目的とする。
【課題を解決するための手段】
【０００８】
上記の目的を達成するために、本発明の一実施形態に係る照明システムは、複数の照明器具と、前記複数の照明器具とネットワークを介して接続されており、前記ネットワークを介して前記複数の照明器具に照明制御信号を送信するコントローラとを備える。前記複数の照明器具は、それぞれ、前記ネットワークを介して、自己の分類を示す分類データを含む識別情報を送信する通信部を備える。前記コントローラは、前記ネットワークを介して、前記複数の照明器具から送信される前記識別情報をそれぞれ受信する通信部と、各識別情報に含まれる分類データをキーとして、前記照明器具が分類ごとに並ぶようにソートして、アドレス順がソート結果の順になるように、各照明器具の制御アドレスを設定する制御アドレス設定部とを備える。
【発明の効果】
【０００９】
本発明によると、各照明器具の制御アドレスを容易に設定することができる。
【図面の簡単な説明】
【００１０】
【図１】本実施形態に係る照明システムのブロック図。
【図２】本実施形態に係る照明システムの全体構成図。
【図３】本実施形態に係る照明システムにおける照明器具と制御アドレスとの対応を示す図。
【図４】本実施形態に係る照明システムの動作を示すフローチャート。
【図５】本実施形態に係る照明システムにおける照明器具と制御アドレスとの対応の他の例を示す図。
【図６】本実施形態に係る照明システムの他の例を示すブロック図。
【発明を実施するための形態】
【００１１】
以下、本発明の実施形態を図面に基づいて詳細に説明する。以下の好ましい実施形態の説明は、本質的に例示に過ぎず、本発明、その適用物あるいはその用途を制限することを意図するものでは全くない。
【００１２】
（照明システムの全体構成）
図１は本実施形態に係る照明システムのブロック図であり、図２は本実施形態に係る照明システムの全体構成図である。なお、図２では、コントローラ１および照明器具２（２Ａ〜２Ｌ）の内部構成を省略して図示している。
【００１３】
本照明システムは、コントローラ１と複数の照明器具２（２Ａ〜２Ｌ）とを備える。コントローラ１および照明器具２は、ネットワーク４を介して接続されており、互いに通信可能である。ネットワーク４は、例えば、ＤＭＸ（Digital Multiplex）ケーブル等で構成された通信網である。
【００１４】
本照明システムでは、コントローラ１は、ネットワーク４を介して、各照明器具２に照明制御信号を送信する。照明器具２は、ネットワーク４を介して受信した照明制御信号に従って、自己の光源２４の調光（光源の色彩、強度、向き等）を制御する。すなわち、本照明システムでは、コントローラ１によって各照明器具２の光源２４の調光が制御される。
【００１５】
（コントローラの構成）
コントローラ１は、操作部１１と、記憶部１２と、制御部１３と、通信部１４とを備える。
【００１６】
操作部１１は、ユーザからの操作入力を受け付ける。操作部１１は、例えば、キーボード、マウス、タッチパネル、フェーダ等の入力装置であり、各照明器具２の光源２４の調光を制御するために行われたユーザの操作入力を検出し、検出結果に応じた入力信号を制御部１３に入力する。
【００１７】
記憶部１２は、ＲＯＭ（Read Only Memory）、ＲＡＭ（Random Access Memory）、ＨＤＤ（Hard Disk Drive）およびＳＳＤ（Solid State Drive）等によって構成された記憶媒体である。記憶部１２には、照明制御信号の送信を実行するために必要なプログラムが記憶される。
【００１８】
制御部１３は、例えば、ＣＰＵ（Central Processing Unit）および半導体メモリ等を含むマイクロコンピュータで構成される。制御部１３は、記憶部１２に記憶されたプログラムを実行することにより、各照明器具２に照明制御信号を送信する。
【００１９】
具体的に、制御部１３は、操作部１１から入力された入力信号に従って、各照明器具２の光源２４の調光を示す制御値を含む照明制御信号を生成する。制御部１３は、生成した照明制御信号を通信部１４に入力する。
【００２０】
また、制御部１３は、制御アドレス設定部１３１を備える。
【００２１】
制御アドレス設定部１３１は、各照明器具２から送信された識別信号に含まれる識別情報（詳しくは後述する）に基づいて、各照明器具２の制御アドレスを設定する。
【００２２】
通信部１４は、例えば、電気回路等で構成され、制御部１３から入力された照明制御信号をネットワーク４に送信する。また、通信部１４は、ネットワーク４を介して受信した識別信号を制御部１３に入力する。
【００２３】
（照明器具の構成）
照明器具２は、通信部２１と、記憶部２２と、制御部２３と、光源２４とを備える。
【００２４】
通信部２１は、例えば、電気回路等で構成され、ネットワーク４を介して照明制御信号を受信する。通信部２１は、受信した照明制御信号を制御部２３に入力する。
【００２５】
また、通信部２１は、ネットワーク４を介して、自己を示す識別情報を含む識別信号をコントローラ１に送信する。
【００２６】
記憶部２２は、ＲＯＭ、ＲＡＭ、ＨＤＤおよびＳＳＤ等によって構成された記憶媒体である。記憶部２２は、照明制御信号に含まれる制御値に従って、光源２４の調光を制御するために必要なプログラムが記憶されている。
【００２７】
また、記憶部２２には、自己（照明器具２）を示す識別情報が記憶されている。この識別情報は、本照明システムにおいて、コントローラ１が各照明器具２を識別するために用いられる。具体的に、識別情報には、自己の分類を示す分類データが含まれている。
【００２８】
制御部２３は、例えば、ＣＰＵおよび半導体メモリ等を含むマイクロコンピュータで構成される。制御部２３は、記憶部２２に記憶されたプログラムを実行することにより、自己（照明器具２）の光源２４の調光を制御する。具体的に、制御部２３は、照明制御信号に含まれる制御値のうち、自己に設定された制御アドレスに対応する制御値に従って、光源２４の調光を制御する。
【００２９】
光源２４は、例えば、ハロゲンランプ、蛍光灯およびＬＥＤ等で構成される。光源２４は、例えば、赤色（Red）、緑色（Green）および青色（Blue）の発光素子を有するものや、赤色、緑色、青色および白色（White）の発光素子を有するもので構成される。
【００３０】
（照明制御信号について）
本照明システムでは、コントローラ１の制御部１３は、ＤＭＸ−５１２規格に従って、照明制御信号を生成する。ＤＭＸ−５１２規格では、デジタル形式で照明制御信号が生成され、１つの照明制御信号に５１２のデータ領域（チャンネル）を含むことができる。照明制御信号は、各データ領域に１個の制御アドレスおよび制御値を含む。
【００３１】
コントローラ１の制御アドレス設定部１３１は、各照明器具２の制御値が、照明制御信号のいずれのデータ領域に含まれるかを定める。そして、制御アドレス設定部１３１は、各照明器具２の制御値が含まれるデータ領域に従って、各照明器具２に制御アドレスを設定する。例えば、制御アドレス設定部１３１は、照明器具２Ａの制御値が照明制御信号における１番目のデータ領域に含まれると定めた場合、照明器具２Ａの制御アドレスを「１」に設定する。
【００３２】
また、制御アドレス設定部１３１は、各照明器具２の動作モードに従って、制御アドレスの設定を行う。本実施形態では、各照明器具２は、「単色１ｃｈモード」、「ＲＧＢ（Red，Green，Blue）３ｃｈモード」、「ＩＲＧＢＷ（Intensity，Red，Green，Blue，white）５ｃｈモード」のいずれか１つの動作モードで、自己の光源２４の調光を制御する。
【００３３】
具体的に、照明器具２は、動作モードが「単色１ｃｈモード」に設定されている場合、照明制御信号に含まれる１つの制御値に従って自己の光源２４の調光を制御する。照明器具２は、動作モードが「ＲＧＢ３ｃｈモード」に設定されている場合、照明制御信号に含まれる３つの制御値に従って自己の光源２４の調光を制御する。照明器具２は、動作モードが「ＩＲＧＢＷ５ｃｈモード」に設定されている場合、照明制御信号に含まれる５つの制御値に従って自己の光源２４の調光を制御する。
【００３４】
例えば、制御アドレス設定部１３１は、照明器具２Ｅの動作モードが「ＲＧＢ３ｃｈモード」に設定されている場合、照明制御信号における３つのデータ領域に照明器具２Ｅの制御アドレスおよび制御値を設定する。
【００３５】
（制御アドレス設定部について）
図３は照明器具と制御アドレスとの対応を示す図である。図３に示すように、照明器具２Ａ〜２Ｄ，２Ｅ〜２Ｈ，２Ｉ〜２Ｌは、動作モードが「単色１ｃｈモード」、「ＲＧＢ３ｃｈモード」、「ＩＲＧＢＷ５ｃｈモード」にそれぞれ設定された照明器具である。
【００３６】
また、照明器具２Ａ〜２Ｌの記憶部２２は、それぞれ、自己の識別情報が記憶されている。この識別情報には、自己の分類データが含まれている。
【００３７】
分類データは、照明器具２の分類（例えば、機種、品番、動作モード等）を示すものであり、分類が同一となる照明器具に、同一の分類データが付与される。
【００３８】
図３に示すように、照明器具２Ａ〜２Ｄ，２Ｅ〜２Ｈ，２Ｉ〜２Ｌは、それぞれ同一の分類（動作モード）であるため、自己の識別情報に分類データとして「０００１」、「０００２」、「０００３」をそれぞれ含む。
【００３９】
照明器具２Ａ〜２Ｌの通信部２１は、ネットワーク４を介して自己の識別情報を含む識別信号をコントローラ１に送信する。コントローラ１の制御アドレス設定部１３１は、受信した識別信号に含まれる識別情報に基づいて、各照明器具２の制御アドレスを設定する。
【００４０】
具体的に、制御アドレス設定部１３１は、照明器具２Ａ〜２Ｄ，２Ｅ〜２Ｈ，２Ｉ〜２Ｌの識別情報に含まれる分類データごとにソートする。そして、制御アドレス設定部１３１は、同一の分類データ（「０００１」）の照明器具２Ａ〜２Ｄが並ぶようにソートする。同様に、制御アドレス設定部１３１は、同一の分類データ（「０００２」，「０００３」）の照明器具２Ｅ〜２Ｈ，２Ｉ〜２Ｌが並ぶようにソートする。そして、制御アドレス設定部１３１は、アドレス順が、このソート結果の順に制御アドレスを設定する。
【００４１】
すなわち、制御アドレス設定部１３１は、照明器具２Ａ〜２Ｌを示す識別情報に含まれる分類データをキーとして、照明器具２Ａ〜２Ｌが分類ごとに並ぶようにソートする。
【００４２】
図３に示すように、制御アドレス設定部１３１によって、照明器具２Ａ〜２Ｌに対してバラバラに設定されていた元の制御アドレスが、照明器具の分類データごとにソートした結果の順に並んで設定される。すなわち、照明器具の分類データに従って、各照明器具の制御アドレスが自動的に設定されるため、各照明器具の制御アドレスを容易に設定することができる。また、同じ分類の照明器具に対して、アドレス値が並ぶように、制御アドレスが設定されるため、照明器具を制御する制御値を入力しやすくなる。これにより、制御値の入力ミスを防止できる。
【００４３】
（照明システムの動作）
図１〜図４を参照しつつ、本照明システムの動作を説明する、図４は、照明システムの動作を示すフローチャートである。なお、ステップＳ１の前においては、図３に示すように、照明器具２Ａ〜２Ｌの制御アドレスがバラバラに設定されている。
【００４４】
ステップＳ１において、コントローラ１（の通信部１４）は、照明器具２Ａ〜２Ｌから送信された識別情報をそれぞれ受信する。受信した識別情報には、各照明器具２の分類データが含まれている。
【００４５】
ステップＳ２において、コントローラ１の制御アドレス設定部１３１は、各照明器具２の識別情報に含まれる分類データをキーとして、照明器具２の分類ごとに並ぶようにソートする。具体的に、照明器具２Ａ〜２Ｄ，２Ｅ〜２Ｈ，２Ｉ〜２Ｌの分類データがそれぞれ同一であるため（分類データがそれぞれ「０００１」，「０００２」，「０００３」であるため）、照明器具２Ａ〜２Ｄ，２Ｅ〜２Ｈ，２Ｉ〜２Ｌが並ぶようにソートする。
【００４６】
ステップＳ３において、コントローラ１の制御アドレス設定部１３１は、アドレス順がソート結果の順に並ぶように、照明器具２Ａ〜２Ｌに制御アドレスを設定する。
【００４７】
以上に説明したように、照明器具２Ａ〜２Ｌは、それぞれ、ネットワーク４を介して、自己の識別情報を含む識別信号をコントローラ１に送信する。コントローラ１の制御アドレス設定部１３１は、識別情報に含まれる分類データをキーとして、照明器具２Ａ〜２Ｌが分類ごとに並ぶようにソートして、アドレス順をソートした結果の順になるように、照明器具２Ａ〜２Ｌの制御アドレスを設定する。すなわち、コントローラ１の制御アドレス設定部１３１は、各照明器具２の分類データに従って、各照明器具２の制御アドレスを設定する。これにより、制御アドレス設定部１３１によって、各照明器具の制御アドレスが自動的に設定されるため、各照明器具の制御アドレスを容易に設定することができる。また、制御アドレス設定部１３１によって、同じ分類の照明器具に対して、アドレス値が並ぶように、制御アドレスが設定されるため、照明器具を制御する制御値を入力しやすくなる。これにより、制御値の入力ミスを防止できる。
【００４８】
（その他の実施形態）
以上のように、本出願において開示する技術の例示として、実施形態について説明した。しかしながら、本開示における技術は、これに限定されず、適宜、変更、置き換え、付加、省略などを行った実施形態にも適用可能である。また、上記実施形態で説明した各構成要素を組み合わせて、新たな実施の形態とすることも可能である。
【００４９】
上記実施形態について、以下のような構成としてもよい。なお、特に言及しない限り、本照明システムは、図１および図２と同様に構成されているものとする。
【００５０】
図５は図２における照明器具と制御アドレスとの対応の他の例を示す図である。図５では、照明器具２Ａ〜２Ｌは、アドレス自動設定機能の「ＯＮ」，「ＯＦＦ」機能を有している。すなわち、図５では、照明器具は制御アドレスの自動設定を行うか否かを設定可能に構成されている。具体的に、図５では、照明器具２Ｉは、アドレス自動設定機能が「ＯＦＦ」に設定されている。アドレス自動設定機能が「ＯＦＦ」に設定されている場合、照明器具２Ｉに設定された制御アドレスは変更されない。これにより、例えば、常設の照明器具等、制御アドレスを固定しておきたい照明器具がある場合に対応することができる。
【００５１】
図６は本実施形態に係る照明システムの他の例を示すブロック図である。図６では、コントローラ１の制御部１３に制御アドレス設定部１３１が備えられておらず、照明器具３に制御アドレス設定部２３１が備えられている。制御アドレス設定部２３１は、制御アドレス設定部１３１と同様の機能を有するものである。この場合、照明器具３は、各照明器具２から識別情報を含む識別信号を受信する。そして、制御アドレス設定部２３１は、制御アドレス設定部１３１と同様に、各照明器具２，３の制御アドレスを設定する。すなわち、照明器具に制御アドレス設定部の機能を備えてもよい。この場合、照明器具３は、制御アドレスを設定したとき、ネットワーク４を介して、コントローラ１に設定した制御アドレスを通知する。そして、コントローラ１は、照明器具３によって設定された制御アドレスに従って、照明制御信号を生成する。
【００５２】
また、図６において、照明器具３は、制御アドレス設定部２３１が制御アドレスの設定を行うか否かを設定可能に構成されてもよい。
【００５３】
また、上記実施形態において、コントローラ１または照明器具３は、制御アドレス設定部１３１，２３１が各照明器具２，３に制御アドレスを設定した場合、ＤＭＸ規格またはＲＤＭ（Remote Device Management）規格に従った通信プロトコルにより、制御アドレス設定部１３１，２３１によって設定された制御アドレスを含む専用信号を生成し、ネットワーク４を介して、専用信号を各照明器具２に送信するように構成してもよい。
【００５４】
また、上記実施形態において、各照明器具２，３の識別情報に、自己を識別するために用いられるＩＤデータが含まれてもよい。このＩＤデータは、自己（照明器具２，３）を識別するために用いられる、例えば、ユーザＩＤやＭＡＣ（Media Access Control）アドレス等のデータであり、照明器具２，３ごとに固有のものである。識別情報にＩＤデータが含まれる場合、制御アドレス設定部１３１，２３１は、照明器具２，３の識別情報に含まれる分類データをキーとして、照明器具２，３が分類ごとに並ぶようにソートした後（図４におけるステップＳ２の後）に、識別情報に含まれるＩＤデータをキーとして、同じ分類データの照明器具が所定のＩＤデータ順に並ぶようにソートして、アドレス順がソート結果の順になるように、各照明器具２，３の制御アドレスを設定してもよい。例えば、図２において、照明器具２Ａ〜２Ｄに「０００１」〜「０００４」のＩＤデータが付与されている場合、照明器具２Ａ〜２ＤのＩＤデータ順に制御アドレスのアドレス値が並ぶように、照明器具２Ａ〜２Ｄに制御アドレスを設定してもよい。
【００５５】
また、上記実施形態において、識別情報に含まれる分類データおよびＩＤデータは、それぞれ４つの数字によって構成されているが、これに限られない。分類データおよびＩＤデータは、それぞれ、２以上の数字、アルファベット、文字、または、記号、もしくは、これらの結合によって構成されてもよい。この場合、制御アドレス設定部１３１は、分類データおよびＩＤデータを、数字順、アルファベット順、辞書順、または、文字コード（ＡＳＣＩＩコード、ＪＩＳコード等）順にソートして、アドレス順がソート結果の順となるように、各照明器具２に制御アドレスを設定してもよい。
【００５６】
また、図３および図５では、制御アドレス設定部１３１，２３１は、同じ分類データの照明器具２に連続する制御アドレスが設定しているが、これに限られない。制御アドレス設定部１３１，２３１は、制御アドレスのアドレス順が、少なくとも、同じ分類データの照明器具２の間に、異なる分類データの照明器具２が含まれないように制御アドレスの設定を行えばよい。
【００５７】
また、上記実施形態において、各照明器具２，３の分類データは、自己の動作モードに従って付与されているが、これに限られない。例えば、各照明器具２，３の分類データは、照明器具の機種、品番等に従って付与されてもよい。
【００５８】
なお、上記実施形態において、照明器具２，３は、「単色１ｃｈモード」、「ＲＧＢ３ｃｈモード」、「ＩＲＧＢＷ５ｃｈモード」のいずれか１つの動作モードで自己の光源２４を制御しているが、これ以外の動作モードで自己の光源２４を制御してもよい。例えば、照明器具２，３は、「ＲＧＢＷ（Red，Green，Blue，White）モード」、「ＩＣＣＴ（Intensity，Correlated Color Temperature）モード」等の動作モードで自己の光源２４を制御してもよい。
【００５９】
また、上記実施形態において、制御アドレス設定部１３１，２３１は、分類データの数字が小さい順に、各照明器具２，３に制御アドレスを設定しているが、これに限られない。制御アドレス設定部１３１，２３１は、同じ分類データの照明器具２，３の制御アドレスが並ぶように設定していればよく、分類データごとの順番は問わない。
【符号の説明】
【００６０】
１  コントローラ
２（２Ａ〜２Ｌ），３  照明器具
１３  制御部
１４  通信部
１３１，２３１  制御アドレス設定部
【図１】
2020198237.tif 000003
【図２】
2020198237.tif 000004
【図３】
2020198237.tif 000005
【図４】
2020198237.tif 000006
【図５】
2020198237.tif 000007
【図６】
2020198237.tif 000008